(57)【要約】【課題】前と後の番組のキューシートを一時的に同時表示する。【解決手段】現在放送中の番組（前番組）に関するキューシートを画面に表示する。この放送期間中に後番組のスタンバイ時刻になったときには、この後番組のキューシートも同時に表示する。後番組の放送時刻になったときには前番組のキューシートを消去して、後番組のキューシートのみを画面に表示する。  このようにキューシートを同時表示することで、連続番組のように後番組が続くようなときでも、後番組の放送開始前に、その番組情報の番組名（タイトル名）や、使用する放送素材の事前確認を簡単に行うことができる。【選択図】        図８
2006074240.tif 000002
【特許請求の範囲】
【請求項１】
放送番組の番組開始時刻を含む番組進行情報を画面上に表示して番組支援を行うためにコンピュータを、
番組のスタンバイ時刻をチェックする手段と、
当該スタンバイ時刻になったときで放送中の番組が存在しなかったときには、当該スタンバイ中の番組における番組進行情報を取得する手段と、
当該番組進行情報をキューシートとして画面表示する手段と、
上記スタンバイ時刻になったときで、放送中の番組が存在したときは、当該番組の後の番組であって、スタンバイ中の番組における番組進行情報を取得する手段と、
現在放送中の番組のキューシート画面上に、上記スタンバイ中の後の番組の番組進行情報をキューシートとして同一画面上に同時に表示する手段として機能させる
ことを特徴とする番組支援方法。
【請求項２】
上記後の番組が放送開始したとき、上記前の番組のキューシートを上記画面より消去する手段を有する
ことを特徴とする請求項１記載の番組支援方法。
【請求項３】
上記番組進行情報のうち未放送分を任意に選択して放送できる選択手段を有する
ことを特徴とする請求項１記載の番組支援方法。
【請求項４】
上記番組進行情報のうち未放送分の選択が、上記後の番組内容であるときは、現放送番組の終了確認を行ってから上記後の番組に遷移する手段を有する
ことを特徴とする請求項３記載の番組支援方法。
【請求項５】
放送番組の番組開始時刻を含む番組進行情報を画面上に表示して番組支援を行う番組支援装置であって、
上記番組進行情報を記録する記録手段と、
番組のスタンバイ時刻に放送中の番組をチェックし、スタンバイ中の番組が存在するときには、当該番組の番組進行情報を取得する手段と、
取得した当該番組進行情報をキューシートとして画面表示するモニタと、
現在放送中の番組の後の番組であって、スタンバイ中の番組の番組進行情報を、現在放送中の番組の番組進行情報と共にキューシートとして表示する手段とを有する
ことを特徴とする番組支援装置。
【請求項６】
上記後の番組が放送開始したとき、上記前の番組のキューシートを上記画面より消去する
ことを特徴とする請求項５記載の番組支援装置。
【請求項７】
上記番組進行情報のうち未放送分を任意に選択して放送できるようにした
ことを特徴とする請求項５記載の番組支援装置。
【請求項８】
上記番組進行情報のうち未放送分の選択が、上記後の番組内容であるときは、現放送番組の終了確認を行ってから上記後の番組に遷移する
ことを特徴とする請求項５記載の番組支援装置。
【発明の詳細な説明】
【技術分野】
【０００１】
この発明は番組支援方法および番組支援装置に関する。詳しくは、連続する放送番組を複数の番組として捉えてそのそれぞれに対してキューシートの基となる番組進行情報を作成する場合でも、前番組に連続した後番組の放送開始時刻が近付いたときには、前番組の番組進行情報と共に、後番組の番組進行情報を同時に表示することで、後番組での番組情報や、後番組で使用する放送素材などの確認を容易に行えるようにしたものである。
【背景技術】
【０００２】
放送番組の管理、特に、何時、何を、どのような放送素材を使用して放送するかは番組情報と番組進行情報とによって管理される。ここに、番組情報とは番組名や番組の開始時刻などを記録した情報であり、番組進行情報とは、その番組内で使用する映像や音声などの放送素材を制御（選択）する順番を示した情報である。
【０００３】
この番組進行情報は、画面上に電子的なキューシートとして表示される。キューシート情報はキューシート端末（コンピュータ構成）を利用して表示される。
【０００４】
キューシートは、ＧＵＩを使用して画面表示される。キューシート画面の構成例を図９に示す。この例では、１つの番組の区切りを示す表示バー２，４を有する。番組の開始を示す「スタート」バー２と、番組の出力を示す「エンド」バー４との間に囲まれた表示領域に番組の具体的な進行情報が表示される。
【０００５】
この例では、表示画面Ｓの左側領域ＳＡに放送開始時刻が表示され、その右側領域ＳＢに放送すべき項目欄が表示される。項目欄は、ニュース、天気予報などと言った放送項目名を始めとして、当該項目の構成内容、その構成に使用する放送素材が表示される。放送素材としては、映像、音声、ＢＧＭ、コンピュータグラフィックス（ＣＧ）などの送出素材などが考えられる。映像素材はスチル画像ＳＶが該当項目欄に嵌め込まれ、音声素材はそのタイトル名（取材、会話、効果音など）が表示され、ＣＧはそのタイトル名（天気、西日本、東日本など）が表示される。そして、現在放送中の項目欄は、他の項目欄と区別するため、当該項目欄の左側にはバー６が表示されると共に、その項目欄は他の項目欄とは別の色で表示される。
【０００６】
キューシートは、これから放送しようとする１つの番組に対応して表示される。つまり、１つの番組のみのキューシートが画面上に表示されるのが殆どである（例えば特許文献１〜４）。これら特許文献１〜４の何れも、１つの放送番組に対応したキューシートがキューシート端末に表示される例である。
【０００７】
【特許文献１】特開平１０−１９１１６４号公報
【特許文献２】特開２００１−６０９２７号公報
【特許文献３】特開２００１−１３６１３７号公報
【特許文献４】特許第３４６７９９９号
【発明の開示】
【発明が解決しようとする課題】
【０００８】
ところで、営業や番組編成の都合上、放送時間が連続しているにも拘わらずその番組を複数の番組に分けて制作される場合がある。例えば、ワイド番組や、生放送のように番組が連続している場合でも、番組提供者（スポンサー）が相違するようなときは、１つの番組でも複数の番組と見なして制作されることがある。その場合には、番組進行情報もそれぞれの番組に応じて制作される。
【０００９】
例えば１つの連続番組を２つの番組として制作する場合には、前番組用の番組情報と番組進行情報が制作され、また後番組用の番組情報と番組進行情報とが制作される。したがって、前番組の放送開始時刻になると前番組用のキューシートが画面に表示され、後番組の放送開始時刻になると前番組用のキューシートを消去して、後番組用のキューシートが画面に表示される。
【００１０】
このように連続番組であっても、画面上には単一の番組に対応したキューシートのみが表示される構成となされているために、後番組の進行状況を前もって確認したり、使用する放送素材や、素材を再生する放送機材など（以下単に放送素材という）を前もって確認することができない。特許文献１〜４には、特に連続番組については触れていないが、前後する番組に関するキューシートを番組の入れ替え時に同時に表示する構成は披瀝されていない。
【００１１】
しかし、番組の入れ替え時に前後する複数のキューシートを同時に表示できれば、次に送出すべき映像の準備や確認を行うことができるので便利である。また、このような連続番組の場合には、同一スタジオを使用して放送されたり、同一の副調整室を用いて放送される場合が多いので、後番組で使用する放送素材などは共用されることが多いことから、予め放送素材の確認などを行うのは意義あることである。
【００１２】
そこで、この発明はこのような従来の課題を解決したものであって、特に連続する番組でも複数の番組として制作されるようなとき、前後する番組の入れ替え時に番組進行情報を同時に表示できるようにして、後番組の番組情報の確認などを容易に行えるようにした番組支援方法および番組支援装置を提案するものである。
【課題を解決するための手段】
【００１３】
上述の課題を解決するため、請求項１に記載したこの発明に係る番組支援方法では、
放送番組の番組開始時刻を含む番組進行情報を画面上に表示して番組支援を行うためにコンピュータを、
番組のスタンバイ時刻をチェックする手段と、
当該スタンバイ時刻になったときで放送中の番組が存在しなかったときには、当該スタンバイ中の番組における番組進行情報を取得する手段と、
当該番組進行情報をキューシートとして画面表示する手段と、
上記スタンバイ時刻になったときで、放送中の番組が存在したときは、当該番組の後の番組であって、スタンバイ中の番組における番組進行情報を取得する手段と、
現在放送中の番組のキューシート画面上に、上記スタンバイ中の後の番組の番組進行情報をキューシートとして同一画面上に同時に表示する手段として機能させることを特徴とする。
【００１４】
また、請求項５に記載したこの発明に係る番組支援装置は、放送番組の番組開始時刻を含む番組進行情報を画面上に表示して番組支援を行う番組支援装置であって、
上記番組進行情報を記録する記録手段と、
番組のスタンバイ時刻に放送中の番組をチェックし、スタンバイ中の番組が存在するときには、当該番組の番組進行情報を取得する手段と、
取得した当該番組進行情報をキューシートとして画面表示するモニタと、
現在放送中の番組の後の番組であって、スタンバイ中の番組の番組進行情報を、現在放送中のバグの番組進行情報と共にキューシートとして表示する手段とを有することを特徴とする。
【００１５】
この発明では、連続した１つの番組であっても、複数の番組として制作され、それぞれに番組進行情報が制作記録されている番組が対象となる。番組情報は番組名や番組開始時刻などの情報であり、番組進行情報はその番組に使用する映像や音声などの放送素材の送出順番を記した情報である。番組進行情報はＧＵＩを使用して画面上にキューシートとして表示される。このキューシートには必要に応じて番組名や番組開始時刻などの情報も併せて表示されることから、以下では番組開始情報などを含めて番組進行情報として説明する。
【００１６】
連続した１つの番組が複数の番組として制作されることから、以下説明する例ではこの１つの番組が２つの番組として制作されているものとし、前半の番組を前番組として、後半の番組を後番組として呼称する。
【００１７】
番組の送出制御端末装置では、データベースサーバに記録された番組進行情報のうち番組開始時刻を取得し、その番組のスタンバイ時刻を監視する。スタンバイ時刻は例えば放送５分前とする。番組のスタンバイ時刻近くになると、キューシート端末装置に対してキューシート表示処理を促す。
【００１８】
これを受けてキューシート端末装置では、取得した番組開始時刻に関連した番組がオンエア中の番組つまり連続番組かどうかをまず判別する。この判別処理は必要に応じて設けられる。
【００１９】
連続番組のうち前番組がスタンバイ時刻となったときには、番組進行情報をデータベースサーバから取得する。同時にキューシート端末装置は送出制御端末装置に対して、放送素材が記録されたサーバなどの記録手段（放送機材）などに対するスタンバイ処理の指示が行われる。これを受けて送出制御端末装置は放送素材を記録したサーバなどに対するスタンバイ処理を行う。
【００２０】
番組進行情報はＧＵＩを使用してモニタ画面にキューシートとして表示される。モニタはキューシート端末装置のモニタが用いられる。キューシート画面に番組開始時刻の他に放送番組の項目欄（項目表示欄）が設けられ、ここに番組の内容、使用メディア（映像、音声など）などが放送開始順に表示される。
【００２１】
番組開始時刻になると番組進行情報にしたがって番組が進行する。そして再び次の番組の番組開始時刻５分前になると、つまり番組のスタンバイ時刻が到来すると再びオンエア中の番組の有無がチェックされる。連続番組の場合には、前番組に続いて後番組がそのまま放送されるから、この場合には後番組に関する番組進行情報がデータベースサーバより取得され、放送機材のスタンバイ処理の指示がなされる。
【００２２】
同時に、後番組に関する番組進行情報がキューシートとして画面表示される。つまり次の番組のスタンバイ時刻になると、番組開始時刻前ではあるが、前番組と共に後番組の番組進行情報が同時に表示される。これで、次の番組（後番組）の進行状況や、使用機材の事前確認を行うことができる。
【００２３】
後番組の番組開始時刻になると、後番組の番組進行情報のみがキューシートとして画面に表示される。つまり、前アパーチャーグリルのキューシートは画面より消去される。
【００２４】
番組放送中にネクスト（ＮＥＸＴ）ボタンが操作されることがある。このネクスト処理は、放送時間が不足して予め用意された放送項目（構成という）が放送できないようなとき、ジャンプして予定とは異なる未放送分の構成を放送項目として選択する操作を言う。
【００２５】
このときは、現在放送中にあるキューシートから未放送分を選択する場合と、後番組のキューシートの中から未放送分を選択する場合とが考えられる。後番組の場合には、前番組の放送を強制終了させる処理であるので、強制終了の意思確認を行ってから未放送分の構成を放送項目として選択することになる。後番組の構成が選択されたときには画面に表示されるキューシートは、後番組のみとなるように表示変更処理がなされる。
【発明の効果】
【００２６】
この発明では、連続する１つの番組でもこれを複数の番組として番組進行情報などを制作する場合、前後する番組の番組進行情報のそれぞれを容易に確認できるようにしたものである。
【００２７】
これによれば、後の番組の番組開始時刻前に番組情報の事前確認や、使用する放送素材の事前確認を行うことができるので非常に便利である。
【発明を実施するための最良の形態】
【００２８】
続いて、この発明に係る番組支援方法および番組支援装置の好ましい実施例を図面を参照して詳細に説明する。
【実施例１】
【００２９】
図１はこの発明を適用した番組送出システム１０の要部の系統図であって、特にこの発明に係る番組支援装置として機能するキューシート端末装置４０を中心とした系統図として図示されている。
【００３０】
番組情報等を作成する端末装置（コンピュータ）１２では、上述したように放送する番組情報や番組進行情報などが作成され、作成された番組進行情報等はＬＡＮ１４などの内部ネットワークを介してＬＡＮ１４に接続されたデータベースサーバ（ＤＢサーバ）１６に保存される。
【００３１】
ＬＡＮ１４にはさらに副調整室２０の内部機器が接続されている。副調整室２０には少なくとも番組の送出制御を行っている端末装置２２やキューシート端末装置４０などが設けられる。送出制御端末装置２２はキューシート端末装置４０に対してキューシート表示命令などの制御も行っている。
【００３２】
送出制御端末装置２２によってスイッチャー２４が制御されてこのスイッチャー２４に接続された複数の放送素材が番組の進行にしたがって順次選択される。放送素材としては、図示するように映像素材を蓄積したサーバ２６、音声素材（効果音等の音声を含む）を蓄積したサーバ２７およびコンピュータグラフィクス（ＣＧ）用の素材を蓄積したサーバ２８を例示する。
【００３３】
選択された放送素材は放送信号としてマスタールーム３０に供給され、ここでテレビジョン信号に変換された上でオンエアされるが、このマスタールーム３０には複数の放送スタジオ３２からの放送信号も供給される他、コマーシャルバンク（ＣＭバンク）３４をアクセスすることで適宜なタイミングにテレビジョン信号中にＣＭが挿入される。
【００３４】
図２は番組支援装置として機能するキューシート端末装置４０の具体例を示すものであって、コンピュータが使用される。そのため、装置全体の制御を司るＣＰＵ４２、キューシート表示処理などを実行するための処理プログラムなどが格納された主記憶装置４３がバス４４を介して接続されている。さらに、キューシート画面を生成するためのＧＵＩ（Graphical User Interface）４５や、キューシートとして使用する番組進行情報などを一時的に記憶する容量の大きな記憶装置４６などがバス４４に接続され、そして生成されたキューシート画面情報は出力インタフェース４８を介してモニタ５０に映し出せるように構成されている。記憶装置４６としてはハードディスクや半導体メモリが使用される。
【００３５】
バス４４にはこの他にネットワーク用のインタフェース５２や、キーボード５４やマウス５６からなる外部入力手段が入力インタフェース５８を介して接続されている。
【００３６】
上述した送出制御端末装置２２ではデータベースサーバ１６を検索して該当する番組の番組開始時刻をチェックし、スタンバイ時刻（この例では放送５分前）に近くなったとき、キューシート端末装置４０に対してキューシート表示命令がだされる。これを受けてキューシート端末装置４０では、モニタ５０上に番組のキューシート情報が表示される。
【００３７】
ここで、上述したように連続する１つの番組であっても、これを複数の番組（例えば前番組と後番組）としてそれぞれ番組進行情報が作成されている場合、対応するキューシート情報を画面に表示する表示例を図３および図４を参照して説明する。
【００３８】
まず、図３のようにスタンバイ時刻になると前番組ＰＡのキューシートＱＳがモニタ５０に表示される（図４Ａ参照）。そして、前番組ＰＡの放送中で後番組ＰＢのスタンバイ時刻になると、後番組ＰＢのキューシートＱＳも同時に表示される（図４Ｂ参照）。したがってこのように後番組ＰＢのスタンバイ時刻になると、モニタ５０は２分割表示となり、画面の上半部には前番組ＰＡのキューシートＱＳが表示され、画面の下半部には後番組ＰＢのキューシートＱＳが表示される。
【００３９】
前番組ＰＡの放送が終了すると、前番組ＰＡのキューシート画面が削除（消去）され、キューシート画面は後番組ＰＢのキューシート画面のみの表示となる（図４Ｃ参照）。
【００４０】
このように、番組の入れ替えタイミングとなったとき、２番組の番組進行情報を同時に表示することで、後番組ＰＢに関する番組情報を始めとして、どのような放送素材を使用するかなどの事前確認を簡単に得ることができる。
【００４１】
図９は図４Ａに対応するキューシート画面の表示例であり、後番組ＰＢのスタンバイ時刻になると図５に示すような２画面表示となる。画面全体はスクロールボタン５２を使用することで、上下にスクロールすることができるので、前番組ＰＡでも、後番組ＰＢでもその番組進行情報全体を把握できるようになっている。
【００４２】
また、連続番組のキューシート画面表示であることを認識させるために、この例では画面Ｓの右下側に「連続番組スタンバイ中」というような表示を行っている。
【００４３】
連続番組のような場合には、番組進行の都合上、同一番組内で別の構成にジャンプすることで番組の放送時間を調整する場合がある。あるいは前番組ＰＡに連続する後番組ＰＢの任意の構成にジャンプすることで番組の放送時間を調整することがある。このような構成の選択を「ネクスト（ＮＥＸＴ）操作」と呼称すれば、このネクスト操作はキューシート画面を利用して行われる。
【００４４】
現在放送中の構成（前番組ＰＡの構成）から後番組ＰＢの構成に飛び越す場合の例を図６に示す。例えば、前番組ＰＡの構成「ヘッドライン２」を放送中のとき、この構成から後番組ＰＢの構成例えば「豪雨災害ボランティア」にネクスト操作するときには、ネクストボタン５４を用いて後番組ＰＢの構成を選択する。この選択によって、前番組ＰＡの構成「ヘッドライン２」の放送が終了すると、直ちに後番組ＰＢの構成「豪雨災害ボランティア」が選択されて放送される。
【００４５】
そのため、このような場合には、ネクスト操作は前番組ＰＡを強制的に終了させる操作となるので、図７のような番組終了確認ダイアログが表示される。このような番組終了確認ダイアログを表示すると共に、「ＯＫ」ボタンと「キャンセル」ボタンを表示して、オペレータの最終確認操作を促すようにしている。したがって「ＯＫ」ボタンが操作されたとき始めて後番組ＰＢの構成が選択されることになる。
【００４６】
続いて、この発明に係る番組支援方法を実現した処理方法の一例を図８に示すフローチャートを参照して説明する。この処理方法を実現するための処理プログラムは図２に示す主記憶装置４３にストアされている。
【００４７】
上述したように送出制御端末装置２２では、データベースサーバ１６の番組情報を検索することで、現時刻に近い番組開始時刻をチェックし、該当する番組が存在するときはその旨をキューシート端末装置４０に伝える。これでキューシート端末装置４０側では上述した処理プログラムが起動され、該当する番組の番組開始時刻を取得する（ステップ６１）。
【００４８】
次に、番組のスタンバイ時刻がチェックされる（ステップ６２）。スタンバイ時刻に至っていないときはオンエア時間でもオンエア中でもないので、当該スタンバイ時刻に至るまでは待機状態となる。
【００４９】
該当する番組（連続番組）のスタンバイ時刻（実施例では、番組開始時刻の５分前）になると、オンエア中の番組の存在を確認し（ステップ６２，６４）、オンエア中の番組が存在しないときは、データベースサーバ１６より連続番組のうち前番組ＰＡに関連した番組情報と番組進行情報を取得する（ステップ６５）。その後、関連する放送機材のスタンバイ処理を送出制御端末装置２２に指示する（ステップ６６）。ここに、放送機材とは図１に示すように映像や音声などの素材が蓄積されたサーバ２６，２７，２８や、その他の放送素材を記録した機材（映像再生装置など）のことであって、したがってスタンバイ処理とはこれらサーバ２６，２７，２８などに対するスタンバイ指示のことである。
【００５０】
放送機材のスタンバイ処理の指示が終了すると、前番組ＰＡに対するキューシート画面の表示処理を行う（ステップ６７）。キューシート画面の表示例は前述した（図９参照）。
【００５１】
そして、番組開始時刻になるとステップ６３を介してステップ６８に遷移し、ネクスト指定操作の有無がチェックされ（ステップ６８）、ネクスト指定操作がなされていないときは次に、オンエアの終了状態がチェックされる（ステップ６９）。オンエアとは番組の送出状態のことであり、オンエアの終了とは番組の終了を指す。したがって番組が放送中であるときはステップ６２に遷移する。
【００５２】
前番組ＰＡの終了５分前になると、次の番組のスタンバイ時刻がチェックされるので（ステップ６２）、スタンバイ時刻のチェックに続いてオンエア中の番組の存在がチェックされる。上述した連続番組の場合には前番組ＰＡに続いて後番組ＰＢが控えていることになるから、この場合には前番組ＰＡがオンエア中となっているので、ステップ７０に遷移し、後番組ＰＢに関する番組情報と番組進行情報の取得処理が行われる。この取得処理はデータベースサーバ１６を検索することで該当情報を取得することになる。
【００５３】
その後、機器のスタンバイ処理の指示がなされた後（ステップ７１）、後番組に関するキューシート画面表示をＧＵＩ４５を用いて行う（ステップ７２）。この表示処理によって、モニタ５０には図６に示すように、その画面Ｓの上半部に前番組ＰＡのキューシート画面ＱＳが表示され、その下半部に後番組ＰＢのキューシート画面ＱＳが同時に表示される。
【００５４】
前番組ＰＡのオンエアが終了すると（ステップ６９）、次のステップ７３に進み、後番組ＰＢがスタンバイ中かどうかがチェックされる。上述した例では後番組ＰＢがスタンバイ中であるので、ステップ７４に進み、前番組ＰＡのキューシート画面が削除され、後番組ＰＢのキューシート画面が再表示されてからステップ６３に戻る（図４Ｃ参照）。
【００５５】
このように後番組ＰＢの放送開始５分前から５分間だけ、前番組ＰＡと後番組ＰＢのキューシート画面が同時に表示され、５分が経過すると後番組ＰＢのキューシート画面のみ残るように制御される。
【００５６】
番組の放送期間中にネクスト指定処理が行われると（ステップ６８）、ネクスト操作によって指定された番組の構成が前番組ＰＡかどうかがチェックされる（ステップ８０）。前番組ＰＡの構成がネクスト指定されたときには、現在放送中の放送項目の構成が終了した時点で、指定された構成にジャンプする処理が行われる（ステップ８１）。
【００５７】
これに対して、ネクスト指定が後番組ＰＢの中の構成であるときには、まず前番組終了確認ダイアログをモニタ５０上に表示する（ステップ８２）。そしてこの番組終了確認ダイアログでタッチされたボタンが「ＯＫ」ボタンであるときは、前番組ＰＡを強制終了させて後番組ＰＢの指定された構成にジャンプするネクスト指定処理の指示が送出制御端末装置２２に送られる（ステップ８４）。その後ステップ６３に遷移する。番組終了確認ダイアログでのタッチが「キャンセル」ボタンであるときには、ネクスト指定操作処理が無視されて、ステップ６３に遷移する。
【００５８】
後番組ＰＢの放送も終了すると（ステップ６９）、後番組ＰＢのスタンバイ状態は解除されるのでこの場合には連続番組が全て終了したことになり、後番組ＰＢのキューシート画面の表示も消去されることになる（ステップ７３，８５）。
【００５９】
なお、連続番組ではない通常の番組の場合には、スタンバイ時刻になるとその番組の番組情報などの取得処理、キューシート画面の表示処理が行われ（ステップ６２〜６７）、オンエア中にネクスト指定操作処理がなされないときには、オンエア終了時間を待ち（ステップ６９）、オンエア終了時間になると、スタンバイ中の番組も存在しないので（ステップ７３）、その番組のキューシート画面の消去処理が行われるという通常のキューシート画面表示処理が実行されることになる（ステップ８５）。
【００６０】
また、ステップ７０において、後番組ＰＢの番組情報や番組進行情報などの取得処理が行われている最中に、例えばネクスト指定操作がなされ、その指定された構成の放送開始時刻が、スタンバイ時刻から後番組ＰＢの番組開始時刻に至るまでの間の時間内であるようなときには、後番組ＰＢの番組情報等の取得処理が一時中断されてネクスト指定処理が優先処理される。そして、ネクスト指定された構成の放送が開始されているときに中断した取得処理が再開される。
【００６１】
この発明が適用される番組送出システムは、地上アナログ送出システム、地上デジタル送出システム、衛星放送送出システムなど、送出システムの形式には拘泥されない。したがってこの発明の思想を逸脱することなく種々の変形変更をなし得る。
【産業上の利用可能性】
【００６２】
この発明では、番組送出システムなどに装備された番組支援装置として機能するキューシート端末装置に適用できる。
【図面の簡単な説明】
【００６３】
【図１】この発明に係る番組支援装置を番組送出システムを構成するキューシート端末装置に適用した場合の実施例を示す要部の系統図である。
【図２】キューシート端末装置の一例を示す要部の系統図である。
【図３】連続番組におけるキューシート画面表示の遷移状態を示す時系列である。
【図４】連続番組におけるキューシート画面表示の遷移状態を示す図である。
【図５】２つのキューシート画面が同時に表示されたときの一例を示す図である。
【図６】ネクスト指定処理の説明図である。
【図７】ネクスト指定処理時の番組終了確認ダイアログの説明図である。
【図８】この発明に係る番組支援方法を実現するための一例を示すフローチャートである。
【図９】キューシート画面の表示例を示す図である。
【符号の説明】
【００６４】
１０・・・番組送出システム、１２・・・番組情報等の作成端末装置、１６・・・データベースサーバ、２０・・・副調整室、２２・・・送出制御端末装置、４０・・・番組支援装置（キューシート端末装置）、２４・・・スイッチャー、２６，２７，２８・・・番組送出素材用サーバ、５０・・・モニタ、Ｓ・・・表示画面
【図１】
2006074240.tif 000003
【図２】
2006074240.tif 000004
【図３】
2006074240.tif 000005
【図４】
2006074240.tif 000006
【図５】
2006074240.tif 000007
【図６】
2006074240.tif 000008
【図７】
2006074240.tif 000009
【図８】
2006074240.tif 000010
【図９】
2006074240.tif 000011